(57)【特許請求の範囲】
【請求項１】
上下方向に貫通する貫通孔を有する臼体と、該臼体の貫通孔に下側から摺動自在に挿入される下杵と、該臼体の貫通孔に上側から挿脱自在に挿入される上杵とを含んで構成される型を用い、該臼体と該貫通孔内の該下杵の杵先とで画成されるキャビティに少なくとも石鹸成分を含有する粉体原料を充填し、該下杵の杵先と該上杵の杵先とで該粉体原料を加圧成形して固形洗浄剤を得、該固形洗浄剤を該貫通孔から排出する工程を有する、固形洗浄剤の製造方法であって、
前記キャビティに前記粉体原料を充填する前に、前記下杵の杵先及び前記上杵の杵先の少なくとも一方の表面に水を付与し、
前記杵先への水の付与を、該杵先をその周辺雰囲気の露点温度以下に冷却することにより実施する固形洗浄剤の製造方法。
【請求項２】
前記石鹸成分がパーム核脂肪酸ナトリウムである請求項１記載の固形洗浄剤の製造方法。
【請求項３】
前記粉体原料が炭酸水素ナトリウムを含む請求項２記載の固形洗浄剤の製造方法。
【請求項４】
前記固形洗浄剤が固形石鹸である請求項３記載の固形洗浄剤の製造方法。
【請求項５】
前記水の付与を、前記下杵の杵先の表面に対して実施し、且つ前記固形洗浄剤の前記貫通孔からの排出を、該下杵を前記上杵に向けて前記貫通孔内を移動させることにより実施する請求項１〜４の何れか一項に記載の固形洗浄剤の製造方法。
【発明の詳細な説明】
【技術分野】
【０００１】
本発明は、固形石鹸等の固形洗浄剤の製造方法に関する。
【背景技術】
【０００２】
一般に固形石鹸は、石鹸成分に水や熱を加えて混練、溶解、流動させて、金型（枠）内に流し込み、固化させて製造する、いわゆる枠練り法や、ニートソープを加熱乾燥することにより得られる石鹸素地に練りと圧縮を加えて棒状に押し出したものを型打ちすることにより製造する、いわゆる機械練り法によって製造される。枠練り法は、固化工程が必要となるため多大な時間を要すという欠点や、熱に弱い成分を配合しづらいという欠点を有する。また、機械練り法では、石鹸成分以外の副成分を多量に配合しづらいという欠点を有する。
【０００３】
枠練り法や機械練り法に対して、石鹸成分単体又は石鹸成分と該石鹸成分以外の副成分の１種又は２種以上とを含む粉末混合物を加圧成形することによって固形石鹸を製造する方法が知られている（例えば特許文献１参照）。このような粉体圧縮成形法によれば、固化工程が必要ないため生産性を向上させることが可能である。また、熱に弱い成分であっても配合することができ、更に石鹸成分以外の副成分を多量に配合することも容易である。
【０００４】
ところで、粉体圧縮成形法においては、型を用いて粉体原料を圧縮して得られた成形体を該型から離型するときの離型性が問題となる。成形体の離型性が悪く、離型後の型の表面に粉体原料が付着するようでは、成形体の外観が悪化する等、品質の低下を招くことになる。また、型に粉体原料が付着した状態で加圧成形を続けると、品質が低下した不良品を大量に製造することになるおそれがある他、付着した粉体原料によって、加圧成形時に型に作用する力のバランスが崩れるため、型の欠損につながるおそれもある。
【０００５】
成形体の離型性を向上させる方法として、型における成形体と接触する部分の表面をエラストマー塗料で被覆することにより、表面エネルギーを低下させて成形体を型から離型し易くする方法が知られている（例えば特許文献２及び３参照）。また、別の方法として、型における成形体を成形する部分（キャビティ）に金属粉末（粉体原料）を充填する前に、ノズルから潤滑剤を噴霧する方法が知られている（例えば特許文献４参照）。
【先行技術文献】
【特許文献】
【０００６】
【特許文献１】特開２００４−２５６７６８号公報
【特許文献２】特表平９−５１２８５６号公報
【特許文献３】特表２００２−５０１８２６号公報
【特許文献４】特開２０１０−９４６８８号公報
【発明の概要】
【発明が解決しようとする課題】
【０００７】
特許文献２及び３に記載の離型方法は、エラストマー塗料の剥がれ、型の製造コストの高騰等が問題となる。また、特許文献４に記載の離型方法は、高価な潤滑剤の使用により成形体の製造コストの高騰が問題となる。また、潤滑剤の中には、成形体の離型効果には優れていても肌に触れることが好ましくないものがあり、そのような潤滑剤を固形石鹸等の固形洗浄剤の製造に適用することはできない。粉体圧縮成形法を利用した固形石鹸等の固形洗浄剤の製造において、粉体原料の型への付着を抑制し、固形洗浄剤を効率良く製造し得る技術は未だ提供されていない。
【０００８】
従って本発明の課題は、型を用いて粉体原料を圧縮して固形洗浄剤を製造する際に、型に粉体原料が付着し難く、高品質の固形洗浄剤を効率良く製造し得る固形洗浄剤の製造方法を提供することにある。
【課題を解決するための手段】
【０００９】
本発明は、上下方向に貫通する貫通孔を有する臼体と、該臼体の貫通孔に下側から摺動自在に挿入される下杵と、該臼体の貫通孔に上側から挿脱自在に挿入される上杵とを含んで構成される型を用い、該臼体と該貫通孔内の該下杵の杵先とで画成されるキャビティに少なくとも石鹸成分を含有する粉体原料を充填し、該下杵の杵先と該上杵の杵先とで該粉体原料を加圧成形して固形洗浄剤を得、該固形洗浄剤を該貫通孔から排出する工程を有する、固形洗浄剤の製造方法であって、前記キャビティに前記粉体原料を充填する前に、前記下杵の杵先及び前記上杵の杵先の少なくとも一方の表面に水を付与する固形洗浄剤の製造方法を提供することにより、前記課題を解決したものである。
【発明の効果】
【００１０】
本発明の固形洗浄剤の製造方法によれば、型を用いて粉体原料を圧縮して固形洗浄剤を製造する際に、型に粉体原料が付着し難く、高品質の固形洗浄剤を効率良く製造することができる。
【図面の簡単な説明】
【００１１】
【図１】図１は、本発明の固形洗浄剤の製造方法の実施に使用可能な型を具備する成形装置の該型の模式図であり、図１（ａ）は、上杵及び下杵が所定の待機位置に存していて臼体の貫通孔に挿入されていない状態の断面模式図、図１（ｂ）は、下杵を臼体の貫通孔に挿入した状態の断面模式図である。
【図２】図２（ａ）、（ｂ）、（ｃ）及び（ｄ）は、それぞれ、図１に示す型を用いた、本発明の固形洗浄剤の製造方法の一実施態様を示す断面模式図である。
【発明を実施するための形態】
【００１２】
以下、本発明の固形洗浄剤の製造方法をその好ましい一実施態様に基づき図面を参照して説明する。図１には、本実施態様の製造方法の実施に使用可能な成形装置１０の要部である型１が示されている。図１（ａ）に示すように、型１は、上下方向（鉛直方向、図中のＸ方向）に貫通する貫通孔２を有する臼体３と、臼体３の貫通孔２に下側から摺動自在に挿入される下杵４と、臼体３の貫通孔２に上側から挿脱自在に挿入される上杵５とを含んで構成されている。成形装置１０は、下杵４及び上杵５を上下方向に移動させる公知の移動手段（図示せず）を具備している。
【００１３】
臼体３は、アルミニウム等の金属製の剛体からなり、臼体３を支持するテーブル７にボルト等の固定手段により固定されている。貫通孔２は、臼体３を鉛直方向に貫通しており、貫通孔２によって、臼体３には内壁面３ａが形成されている。図示していないが、貫通孔２の平面視形状（鉛直方向の上側又は下側から見たときの形状）は、製造目的物である固形洗浄剤の平面視形状と略一致している。
【００１４】
下杵４は、その杵先（貫通孔２への挿入方向の先端部）４１に、粉体原料の加圧成形時に該粉体原料と接触する加圧面４ａを有しており、また、上杵５は、その杵先５１に、粉体原料の加圧成形時に該粉体原料と接触する加圧面５ａを有している。両加圧面４ａ，５ａは、何れも凹凸の無い平坦な水平面となっている。両杵先４１，５１は、それぞれ、アルミニウム等の金属製の剛体からなる。貫通孔２と下杵４（杵先４１）及び上杵５（杵先５１）とは、平面視形状が略一致しており、貫通孔２に比して杵先４１，５１を若干小さめにして、臼体３と杵先４１，５１との間に微小なクリアランスを確保しながら、貫通孔２に各杵先４１，５１を挿入可能に構成されている。
【００１５】
下杵４を、貫通孔２より下側の所定の待機位置（図１（ａ）参照）から上方に移動させ、その杵先４１を、図１（ｂ）に示すように、臼体３の貫通孔２に挿入することにより、貫通孔２内に、臼体３（内壁面３ａ）と杵先４１（加圧面４ａ）とで画成される空隙部であるキャビティ６が形成される。下杵４は、杵先４１が貫通孔２に挿入された状態で上下方向に移動（摺動）することが可能であり、図１（ｂ）に示す状態から下杵４を更に上方に移動させ、加圧面４ａを臼体３の上端面（テーブル７の表面）と同位置にすることにより、キャビティ６を消失させることが可能である。
【００１６】
図２には、成形装置１０を用いた本実施態様の固形洗浄剤の製造方法が示されている。本実施態様の製造方法は、臼体３と貫通孔２内の下杵４の杵先４１とで画成されるキャビティ６に粉体原料１５を充填し、下杵４の杵先４１と上杵５の杵先５１とで粉体原料１５を加圧成形して固形洗浄剤２０を得、固形洗浄剤２０を貫通孔２から排出する工程を有する。
【００１７】
先ず、下杵４を貫通孔２より下側の所定の待機位置（図１（ａ）参照）から上方に移動させ、その杵先４１を貫通孔２に挿入してキャビティ６を形成する（図１（ｂ）参照）。このときの下杵４の位置を、以下、原料充填位置ともいう。次いで、図２（ａ）に示すように、キャビティ６に粉体原料１５を所定量充填する。粉体原料１５の充填時には、上杵５は、貫通孔２より上側の所定の待機位置に存していて貫通孔２に挿入されておらず、それによってキャビティ５の上方には開口が設けられているので、この開口から粉体原料１５を充填する。キャビティ６に充填された粉体原料１５は、下杵４の加圧面４ａの全域を覆うように該加圧面４ａ上に堆積する。
【００１８】
次いで、図２（ｂ）に示すように、下杵４の杵先４１と上杵５の杵先５１とで粉体原料１５を圧縮する。具体的には、下杵４を前記原料充填位置に待機させつつ、貫通孔２より上側の所定の待機位置に存している上杵５を下方に移動させ、その杵先５１をキャビティ６（貫通孔２）に挿入して加圧面５ａを粉体原料１５に押し付ける。このときの上杵５の位置を、以下、成形位置ともいう。こうして、キャビティ６の粉体原料１５は、杵先４１（加圧面４ａ）と杵先５１（加圧面５ａ）とによって、所定時間、所定圧力で圧縮され、成形体である固形洗浄剤２０とされる。粉体原料１５への加圧力は、粉体原料１５の種類等に応じて適宜設定され、例えば、５〜１００ＭＰａ、好ましくは１０〜６０ＭＰａに設定することができ、その場合、加圧時間は０．０１〜３０秒、好ましくは０．１〜１０秒に設定することができる。
【００１９】
次いで、図２（ｃ）に示すように、上杵５を前記成形位置から上方に移動させて所定の待機位置に戻すと共に、図２（ｄ）に示すように、下杵４を前記原料充填位置から上杵５に向けて貫通孔２内を移動させ、加圧面４ａを臼体３の上端面と同位置か、又は該上端面よりも上方に位置させる。これにより、固形洗浄剤２０が貫通孔２から排出される。
【００２０】
こうして固形洗浄剤２０が排出された後、下杵４は前記原料充填位置に戻され、型１は図１（ｂ）に示す状態（キャビティ６が形成された状態）とされる。以後、前述した手順が繰り返すことにより、固形洗浄剤２０を連続的に製造することができる。
【００２１】
このような工程を有する本実施態様の主たる特長の１つとして、キャビティ６に粉体原料を充填する前に、下杵４の杵先４１及び上杵５の杵先５１の少なくとも一方の表面に水を付与する点が挙げられる。粉体原料の充填前に杵先４１及び／又は杵先５１の表面に水を付与することにより、その後の両杵先４１，５１による粉体原料の加圧成形において、付与された水が粉体原料の離型剤として機能するため、杵先４１，５１に粉体原料が付着し難くなり、固形洗浄剤の離型性が向上し、それによって、型１（杵先４１，５１）の欠損等の不都合を生じることなく、高品質の固形洗浄剤を効率良く連続的に製造することが可能となる。また、キシレンやトルエン等の芳香族系の炭化水素、ベンジンや石油エーテル等の石油系炭化水素等を溶媒としたシリコン系やフッ素系等の市販の離型剤を用いた場合には、該離型剤が固形洗浄剤に含有されるため、該離型剤の種類によっては、該固形洗浄剤の使用により肌への悪影響が懸念されるが、離型剤として水を用いることによりそのような懸念は払拭され、しかも、市販の離型剤を用いる場合に比して低コストで固形洗浄剤を製造できる。また、本実施態様で用いる粉体原料１５は少なくとも石鹸成分を含有しているところ、離型剤として水を用いると、固形洗浄剤の表層部分に存在する石鹸成分が水溶性であるため該水によって若干溶ける場合があり、それによって粉体原料どうしがより緻密に結合するようになり、結果として、固形洗浄剤の表面光沢性や強度の向上効果が期待できる。
【００２２】
水による前記作用効果をより確実に奏させるようにする観点から、水は、少なくとも、加圧成形時に粉体原料と必ず接触する、下杵４（杵先４１）の加圧面４ａ及び／又は上杵５（杵先５１）の加圧面５ａに付与することが好ましい。また特に、前述したように、固形洗浄剤２０の貫通孔２からの排出を、下杵４を上杵５に向けて貫通孔２内を移動させることにより実施する場合には、水の付与は、下杵４の杵先４１の表面（加圧面４ａ）に対して実施することが好ましい。尚、貫通孔２を画成する臼体３の内壁面３ａについては、水による前記作用効果の観点からは特に水を付与する必要はなく、内壁面３ａには水を付与してもしなくても構わない。
【００２３】
杵先４１，５１の表面に付与する水としては、水道水、蒸留水、イオン交換水、超純水等を用いることができる。杵先４１，５１の表面に付与する水は、通常他の成分を含まないが、固形洗浄剤に含有されても問題の無い他の成分（例えば、植物油脂、ソルビタン脂肪酸エステルなど）を含んでいても良い。特に、固形洗浄剤が固形石鹸のように肌に使用されるものである場合、杵先４１，５１の表面に付与する水には、キシレンやトルエン等の芳香族系の炭化水素、ベンジンや石油エーテル等の石油系炭化水素等を溶媒としたシリコン系、フッ素系等の市販の離型剤を含有させないことが好ましい。
【００２４】
水の付与量は、杵先４１，５１の表面（加圧面４ａ，５ａ）に対し、好ましくは１〜３０ｇ／ｍ2、更に好ましくは４〜１５ｇ／ｍ2である。
【００２５】
水の付与量は次のようにして測定される。例えば、下杵４の杵先４１の表面（加圧面４ａ）に水を付与する場合、予め、水を付与する前の状態の下杵４の重量Ｙ１を測定しておき、該下杵４（加圧面４ａ）に水を付与してその重量Ｙ２を測定し、重量Ｙ２から重量Ｙ１を差し引いて水重量Ｙ３（＝Ｙ２−Ｙ１）を算出し、水重量Ｙ３を加圧面４ａの面積で除して得られた数値を水の付与量とする。上杵５の杵先５１の表面（加圧面５ａ）に水を付与する場合は、前記方法に準じて水の付与量を求める。
【００２６】
杵先４１，５１への水の付与方法は、加圧面４ａ，５ａに確実に水を付与し得る方法であれば良く、特に制限されないが、好ましい水の付与方法として、１）杵先に水を噴霧する方法、及び２）刷毛を用いて杵先に水を塗布する方法が挙げられる。前記１）の方法は、公知のスプレー、ノズル等の噴霧手段を用いて実施できる。
【００２７】
また、他の好ましい水の付与方法として、３）杵先をその周辺雰囲気の露点温度以下に冷却する方法が挙げられる。前記３）の方法により、杵先４１，５１の周辺の空気中の水分が凝縮してその表面（加圧面４ａ，５ａ等）上に結露し、結果として該表面に水が付与される。固形洗浄剤を連続的に製造する場合、前記１）及び２）の方法では、基本的に、粉体原料をキャビティ６に充填する度毎に杵先４１，５１の表面に水を付与する作業が必要となるが、前記３）の方法では、杵先４１，５１を常時冷却していれば良く、そのような作業は不要である。杵先４１，５１の冷却方法としては、ｉ）クーラー等の公知の冷却装置を用いて型１の全体を冷却する方法、ｉｉ）下杵４（杵先４１），上杵５（杵先５１）の内部に冷却水の循環路（図示せず）を設けて、これらの内部に冷却水を循環させる方法等が挙げられる。
【００２８】
また、水による前記作用効果をより確実に奏させるようにする観点から、水が付与される杵先の表面は極酸化被膜で被覆されていることが好ましい。例えば、杵先４１の加圧面４ａに水を付与する場合は、該加圧面４ａが極酸化被膜で被覆されていることが好ましく、また、加圧面４ａに加えて杵先５１の加圧面５ａに水を付与する場合は、両加圧面４ａ，５ａそれぞれが極酸化被膜で被覆されていることが好ましい。
【００２９】
極酸化被膜の形成方法としては、例えば、臼体あるいは上杵、下杵がアルミニウムの場合には、希硫酸やシュウ酸（蓚酸）等を処理浴に用いて、アルミニウムを陽極として電気分解することにより、アルミニウムの表面（杵先の表面等）を電気化学的に酸化させ、該表面に酸化アルミニウムAl2O3の皮膜を生成させる方法等が挙げられる。極酸化被膜の厚みは、好ましくは５〜８０μｍである。
【００３０】
本発明の製造目的物である固形洗浄剤について説明すると、固形洗浄剤の一例として固形石鹸が挙げられる。固形石鹸以外の固形洗浄剤としては、例えば中性の固形洗浄剤、トイレ用オンタンク固形洗浄剤、食器洗浄機用固形洗浄剤等が挙げられ、本発明の固形洗浄剤の製造方法は、これら固形石鹸以外の固形洗浄剤の製造にも適用できる。固形石鹸は、パーム核脂肪酸ナトリウム等の脂肪酸誘導体を石鹸成分として含有し、更に必要に応じ、副成分を含有する。副成分としては、石鹸成分以外の界面活性剤、香料、保湿剤、着色剤、殺菌剤、抗菌剤、酸化防止剤、防腐剤、脱臭剤、研磨剤等が挙げられる。これらの副成分が固形石鹸に占める割合は、それらの合計量で表して１〜８９質量％、特に２〜６９質量％であることが好ましい。
【００３１】
固形石鹸の副成分の１つである研磨剤としては、例えば炭酸水素ナトリウム、塩化ナトリウム、珪酸塩、シリカ、コーンスターチ等が挙げられる。これらの研磨剤の中でも、特に炭酸水素ナトリウムは、水に溶解した際アルカリ性となり、酸性の皮脂や油汚れ等に対する洗浄効果を高めることができるため、本発明で好ましく用いられる。固形洗浄剤として固形石鹸を製造する場合の粉体原料の好ましい一例として、石鹸成分としてパーム核脂肪酸ナトリウム、副成分（研磨剤）として炭酸水素ナトリウムを含むものが挙げられる。
【００３２】
本発明で用いる粉体原料は、少なくとも、前記石鹸成分を含有する粒子からなる。前記副成分は、前記石鹸成分と共に該粒子中に含有されていても良く、あるいは該粒子とは別の粒子中に含有されていても良い。後者の場合、本発明で用いる粉体原料は、前記石鹸成分を含有する粒子と前記副成分を含有する粒子とからなる。
【００３３】
本発明で用いる粉体原料（前記石鹸成分を含有する粒子、前記石鹸成分を含有する粒子とは別の粒子）の粒径は、特に制限されないが、製造効率と石鹸強度とのバランスの観点から、好ましくは２０〜５００μｍ、更に好ましくは２０〜２００μｍである。粉体原料の粒径は、ＪＩＳ  Ｋ  ００６９に規定される化学製品のふるい分け試験法、顕微鏡等を用いて寸法を測る方法、沈降速度から求める方法、慣性力から求める方法、媒体に分散させて回折光や散乱光を利用して測定する方法等によって測定される。また、粉体原料の形状に関しても特に制限はなく、球状、立方体形状あるいは不定形状等、様々な形状のものを用いることができる。
【００３４】
本発明の固形洗浄剤の製造方法は、前記実施態様に制限されず、本発明の趣旨を逸脱しない範囲で種々変更することができる。例えば、前記実施態様では、下杵４（杵先４１）の加圧面４ａ及び上杵５（杵先５１）の加圧面５ａは、何れも凹凸の無い平坦な水平面（鉛直方向に対して直交する面）であったが、凹凸面であっても良く、あるいは鉛直方向（図中のＸ方向）に対して直交せずに斜行する傾斜面であっても良い。また、加圧面４ａと加圧面５ａとは同じで無くても良く、例えば、一方が平坦な水平面、他方が凹凸面であっても良い。
【実施例】
【００３５】
以下、本発明を実施例により更に具体的に説明するが、本発明は斯かる実施例に限定されるものではない。
【００３６】
〔実施例１〕
図１に示す成形装置（型）を用い、図２に示す方法（前記実施態様と同じ方法）により固形石鹸を製造した。粉体原料として、粒径２０〜２００μｍのパーム核脂肪酸ナトリウム（石鹸成分）５０質量％と粒径２０〜７５μｍの炭酸水素ナトリウム（研磨剤）５０質量％との混合物を、１成形品あたり７０ｇ用いた。杵先の表面への水の付与は、前記１）の方法（杵先に水を噴霧する方法）により、下杵４の杵先４１の加圧面４ａに対して実施し、水の付与量を４．３ｇ／ｍ2とした。水の噴霧手段としてスプレーを用いた。成形装置の各部の寸法、製造条件等は下記の通り。
・臼体３（貫通孔２）：φ５３ｍｍ、貫通孔距離６５ｍｍ。
・下杵４：φ５２．９ｍｍ、母材Ａ５０５２、硬質アルマイト、膜厚２４μｍ。
・上杵５：φ５２．９ｍｍ、母材Ａ５０５２、硬質アルマイト、膜厚２２μｍ。
・粉体原料への加圧力２２ＭＰａ、加圧時間１０秒。
【００３７】
〔実施例２〜５〕
水の付与量を変更した以外は実施例１と同様にして固形石鹸を製造した。尚、実施例２については、水の付与量のみならずその付与方法も変更し、前記３）の方法（杵先をその周辺雰囲気の露点温度以下に冷却する方法）により、下杵４の杵先４１の加圧面４ａ及び上杵５の杵先５１の加圧面５ａそれぞれに水を付与した。杵先の冷却は、下杵４（杵先４１）及び上杵５（杵先５１）それぞれの内部に冷却水の循環路（図示せず）を設けて、これらの内部に５℃に冷却した水を循環させることにより実施した。
【００３８】
〔比較例１〕
杵先の表面に水を付与しなかった以外は実施例１と同様にして固形石鹸を製造した。
【００３９】
〔評価〕
型への粉体原料の付着量、並びに実施例及び比較例で得られた固形石鹸の表面光沢性及び強度を下記方法により評価した。その結果を下記表１に示す。
【００４０】
＜粉体原料の付着量の評価方法＞
固形石鹸の製造前（粉体原料の加圧成形前）に、予め、下杵及び上杵の合計重量Ｚ１を測定しておき、固形石鹸の製造後に改めて下杵及び上杵の合計重量Ｚ２を測定し、重量Ｚ２から重量Ｚ１を差し引いて得られた数値（＝Ｚ２−Ｚ１）を、粉体原料の付着量とする。粉体原料の付着量が少ないほど、高評価となる。
【００４１】
＜表面光沢性の評価方法＞
固形石鹸を目視で観察し、表面がなめらかで光沢がある場合をＡ（最高評価）、表面がなめらかで光沢がない場合をＢとした。
【００４２】
＜強度の評価方法＞
テンシロン万能試験機（株式会社オリエンテック製  ＲＴＡ−５００）を用いて行った。試験機に２枚の平板を、互いに平行になるように取り付け、２枚の平板間に、固形石鹸を、その成形時の圧縮方向が平板の互いに対向する平面と平行になるように設置した。そして、５ｍｍ／ｍｉｎの速度で固形石鹸を圧縮し、そのときのピーク強度を測定し、その値を石鹸の強度とした。
【００４３】
【表１】
0005923829.tif 000002
【００４４】
表１に示す結果から明らかなように、実施例１〜５は比較例１に比して、杵先への粉体原料の付着量が少なく且つ得られた固形石鹸の表面光沢性に優れるものであった。このことから、キャビティに粉体原料を充填する前に杵先の表面に水を付与することは、型への粉体原料の付着量を減少させ、固形洗浄剤の強度のみならず表面光沢性も向上させる上で有効であることがわかる。また、実施例１〜３は、比較例４及び５に比して、杵先への粉体原料の付着量が少ない結果となったことから、杵先への水の付与量は４〜１５ｇ／ｍ2程度が好ましいといえる。
【符号の説明】
【００４５】
１  型
２  貫通孔
３  臼体
４  下杵
４１  下杵の杵先
４ａ  下杵の加圧面
５  上杵
５１  上杵の杵先
５ａ  上杵の加圧面
６  キャビティ
７  テーブル
１０  成形装置
１５  粉体原料
２０  固形洗浄剤（成形体）
【図１】
0005923829.tif 000003
【図２】
0005923829.tif 000004